(57)【特許請求の範囲】
【請求項１】
装置本体に装着して使用するアタッチメントであって、
弾性を有する１本の金属線により形成され、前記金属線を折り曲げ加工した略環状部を有する線状バネと、
前記線状バネの端部に接続され、押すことで前記線状バネを弾性変形させるボタンと、を備え、
前記ボタンを押して前記線状バネが弾性変形している状態では、前記装置本体に備えられる環状の突部を、弾性変形により広がっている状態である前記線状バネの略環状部の内側が通過可能とする一方、
前記ボタンを押さないで前記線状バネが弾性変形していない状態では、前記環状の突部に形成された溝に、広がっていない状態である前記線状バネの略環状部が係合して、当該アタッチメントが前記装置本体に装着した状態に保持されることを特徴とするアタッチメント。
【請求項２】
前記ボタンが接続される前記線状バネの端部は、前記１本の金属線を折り曲げ加工した突合せ端部に接続され、前記端部の対面となる他の端部が固定され、前記ボタンを押すことで前記線状バネが弾性変形することを特徴とする請求項１に記載のアタッチメント。
【請求項３】
当該アタッチメントを前記装置本体に押し込んで装着する際に、前記環状の突部に形成され、装着方向に広がる斜面により前記線状バネの略環状部が押し広げられてから、前記溝に前記線状バネが係合することを特徴とする請求項１又は２に記載のアタッチメント。
【請求項４】
前記溝に前記線状バネが係合している状態では、当該アタッチメントが回転不能な強さで前記線状バネの略環状部が前記溝に圧着していることを特徴とする請求項１から３のいずれか一項に記載のアタッチメント。
【請求項５】
前記溝に前記線状バネの略環状部が係合している状態では、前記溝と前記線状バネの略環状部の曲率が略一致していることを特徴とする請求項４に記載のアタッチメント。
【請求項６】
前記線状バネの略環状部が前記溝に係合する際に接する部分は滑り止め加工されていることを特徴とする請求項１から３のいずれか一項に記載のアタッチメント。
【請求項７】
前記ボタンは前記線状バネの両端部に設けられていることを特徴とする請求項１に記載のアタッチメント。
【請求項８】
装置本体に装着して使用するアタッチメントであって、
弾性を有する１本の金属線により形成され、前記金属線を折り曲げ加工した略環状部を有する線状バネを備え、
当該アタッチメントを前記装置本体に押し込んで装着する際に、前記装置本体に備えられる環状の突部に形成され、押し込み方向に広がる斜面により前記線状バネの前記略環状部が押し広げられてから、続く押し込み方向に狭まる斜面を通って続く環状の溝に対応させて折り曲げ加工された前記略環状部が係合して、当該アタッチメントが前記装置本体に装着した状態に保持される一方、
当該アタッチメントを前記装置本体から引っ張ると、前記溝から前記押し込み方向に狭まる斜面により前記略環状部が押し広げられて、当該アタッチメントが前記装置本体から外れることを可能とすることを特徴とするアタッチメント。
【請求項９】
前記装置本体は撮像装置であり、
前記アタッチメントはコンバージョンレンズ或いはフィルタであることを特徴とする請求項１から８のいずれか一項に記載のアタッチメント。
【請求項１０】
請求項１から９のいずれか一項に記載のアタッチメントと、
前記線状バネの略環状部が係合する溝を有する環状の突部を備えた装置本体と、からなるアタッチメント装着システム。
【請求項１１】
前記装置本体は前記アタッチメントを装着しない状態であっても撮像可能なレンズを有する撮像手段を備え、
前記アタッチメントを装着することで前記レンズの光学特性を変化させることが可能な撮像装置の筐体であることを特徴とする請求項１０に記載のアタッチメント装着システム。
【請求項１２】
請求項１から７のいずれか一項に記載のアタッチメントを前記装置本体の前記環状の突部に重ね押し込むことにより、前記線状バネの略環状部を前記溝に係合して、前記装置本体に前記アタッチメントを装着状態に保持することを特徴とするアタッチメント装着方法。
【請求項１３】
前記装置本体に対する前記アタッチメントの装着状態において、
前記ボタンを押しながら、前記装置本体に対し前記アタッチメントを引っ張ることにより、弾性変形により広がっている状態である前記線状バネの略環状部の内側を前記環状の突部が通過して、前記装置本体から前記アタッチメントが外れることを特徴とする請求項１２に記載のアタッチメント装着方法。
【請求項１４】
請求項８に記載のアタッチメントを前記装置本体の前記環状の突部に重ね押し込むことにより、前記装着方向に広がる斜面により前記線状バネの前記略環状部が押し広げられてから、前記装着方向に狭まる斜面を通って前記略環状部が前記溝に係合して、前記装置本体に前記アタッチメントを装着状態に保持することを特徴とするアタッチメント装着方法。
【発明の詳細な説明】
【技術分野】
【０００１】
本発明は、カメラ等に装着するアタッチメントと、そのアタッチメントの装着システムと装着方法に関する。
【背景技術】
【０００２】
例えばカメラ本体にレンズ鏡筒やコンバージョンレンズなどの光学部品を着脱可能な構造として、ネジ式マウント、バヨネット式マウント、スピゴット式等が一般的に用いられている。
一方、カメラ等の撮像装置におけるレンズの焦点距離を変更するためのアタッチメントとして、ワイドコンバージョンレンズやテレコンバージョンレンズが知られており、また、追加機能として魚眼レンズや３Ｄレンズがある。
【０００３】
そして、カメラにおいて、交換レンズをマグネットにより装着する方式が特許文献１に提案されている。
また、携帯電話用カメラにおいて、交換レンズ、各種フィルタ等のアタッチメントをマグネットにより装着する方式が特許文献２に提案されている。
【先行技術文献】
【特許文献】
【０００４】
【特許文献１】特開平８−２２７０９６号公報
【特許文献２】特開２００７−２０６１３７号公報
【発明の概要】
【発明が解決しようとする課題】
【０００５】
しかし、従来の技術は、どれもカメラから光学部（レンズ）を丸ごと取り替えることを前提にしており、光学部を外した状態での本体構造は外観的に考慮されていないものであった。
【０００６】
そして、ネジ式マウントは、着脱の際にネジを回転させる必要があり、ワンタッチで簡単に着脱できる構造ではない。
また、バヨネット式マウントは、本体カメラにコンバージョンレンズを取り付ける切り欠きがあり、コンバージョンレンズを外した際の本体カメラのデザインへ与える印象が大きい。
また、マグネット式マウントは、マグネットの吸着はカメラに対し垂直方向に引っ張る荷重には強いが、斜めに引き剥がす方向には弱く、軽い衝撃でも簡単に外れてしまう。
【０００７】
本発明の課題は、装置本体に対するアタッチメントの着脱が簡単に行えて、装置本体に装着状態でアタッチメントが簡単に外れることがなく、装置本体の外観性も良好にすることである。
【課題を解決するための手段】
【０００８】
以上の課題を解決するため、本発明は、装置本体に装着して使用するアタッチメントであって、弾性を有する１本の金属線により形成され、前記金属線を折り曲げ加工した略環状部を有する線状バネと、前記線状バネの端部に接続され、押すことで前記線状バネを弾性変形させるボタンと、を備え、前記ボタンを押して前記線状バネが弾性変形している状態では、前記装置本体に備えられる環状の突部を、弾性変形により広がっている状態である前記線状バネの略環状部の内側が通過可能とする一方、前記ボタンを押さないで前記線状バネが弾性変形していない状態では、前記環状の突部に形成された溝に、広がっていない状態である前記線状バネの略環状部が係合して、当該アタッチメントが前記装置本体に装着した状態に保持されることを特徴とする
また、本発明は、装置本体に装着して使用するアタッチメントであって、弾性を有する１本の金属線により形成され、前記金属線を折り曲げ加工した略環状部を有する線状バネを備え、当該アタッチメントを前記装置本体に押し込んで装着する際に、前記装置本体に備えられる環状の突部に形成され、押し込み方向に広がる斜面により前記線状バネの前記略環状部が押し広げられてから、続く押し込み方向に狭まる斜面を通って続く環状の溝に対応させて折り曲げ加工された前記略環状部が係合して、当該アタッチメントが前記装置本体に装着した状態に保持される一方、当該アタッチメントを前記装置本体から引っ張ると、前記溝から前記押し込み方向に狭まる斜面により前記略環状部が押し広げられて、当該アタッチメントが前記装置本体から外れることを可能とすることを特徴とする。
【発明の効果】
【０００９】
本発明によれば、アタッチメントを装置本体に簡単に装着することができて、装置本体に装着状態でアタッチメントが簡単に外れてしまうようなこともない。
しかも、アタッチメントを簡単に外すことができて、アタッチメントを外した状態での装置本体の外観性も良好にすることができる。
【図面の簡単な説明】
【００１０】
【図１】本発明を適用したアタッチメントを装置本体に装着した一実施形態の構成を示すもので、斜視図（ａ）、平面図（ｂ）、その側面図（ｃ）、上下逆にした側面図（ｄ）である。
【図２】図１（ａ）の分解図である。
【図３】アタッチメントを底面から見た斜視図で、線状バネの通常状態を示した図（ａ）と、線状バネのロック解除状態を示した図（ｂ）である。
【図４】アタッチメントのケースと線状バネ及びボタンの分解斜視図である。
【図５】ケースに線状バネ及びボタンを組み込んだ状態の平面図である。
【図６】線状バネ及びボタンを組み込んだケースと蓋及びネジの分解斜視図である。
【図７】線状バネの通常状態を拡大して示したもので、平面図（ａ）、側面図（ｂ）、及び底面図（ｃ）である。
【図８】線状バネの弾性変形状態を拡大して示したもので、平面図（ａ）、その側面図（ｂ）及び底面図（ｃ）である。
【図９】図３（ａ）の通常状態の平面図（ａ）、その中央縦断面図（ｂ）、その線状バネ組み込み部の拡大図（ｃ）である。
【図１０】図３（ｂ）のロック解除状態の中央縦断面図である。
【図１１】アタッチメントを装置本体に装着する過程を線状バネと平行する断面で示した中央縦断面図で、装置本体の突部にケースがガイドされる状態の図（ａ）、続いて線状バネが斜面により弾性変形し始めた状態の図（ｂ）、続いて線状バネが溝に係合した状態の図（ｃ）である。
【図１２】アタッチメントを装置本体に装着する過程を線状バネと直交する断面で示した中央縦断面図で、装置本体の突部にケースがガイドされる状態の図（ａ）、続いて線状バネが斜面により弾性変形し始めた状態の図（ｂ）、続いて線状バネが溝に係合した状態の図（ｃ）である。
【発明を実施するための形態】
【００１１】
以下、図を参照して本発明を実施するための形態を詳細に説明する。
（実施形態）
図１（ａ）〜（ｄ）は装置本体としてのカメラ１にアタッチメントとしてのコンバージョンレンズ２を装着した状態を示すものである。
【００１２】
図２に示すように、カメラ１のフロントケース１１には、レンズ１２の周囲にアタッチメントを装着するための装着溝１３が形成されている。この装着溝１３の内周には、環状突部１４が形成されている。
この環状突部１４には、先端に矢印で示した装着方向に沿って広がる環状斜面１５が形成されて、その環状斜面１５に続いて小径の環状溝１６が形成されている（図１１及び図１２参照）。
【００１３】
ここで、カメラ１は、コンバージョンレンズ無しでもカメラとしての機能を有しており、コンバージョンレンズ２を着けることにより、魚眼や３Ｄ等といった別の光学的機能を持つことを特徴とする。
よって、カメラ１は、コンバージョンレンズ２が着いていないときでも製品として成り立つ外観の仕上げ及び形状になっている。
【００１４】
コンバージョンレンズ２は、図示のように、ケース２１でレンズ２２の周囲が覆われている。
また、ケース２１の外周にロック解除ボタン３が組み付けられている。
【００１５】
図３はコンバージョンレンズ２を底面から見た図で、ケース２１のレンズ２２の周囲の基端部は、カメラ１の装着溝１３に挿入される挿入部２３となっている。
そして、コンバージョンレンズ２の底面側には、線状バネ４が組み込まれている。
この線状バネ４は、図４から図７に示すように、弾性を有する１本の金属線を折り曲げ加工して、カメラ１の環状突部１４に対応する略環状部４１を中央部に形成したものである。
【００１６】
この線状バネ４の略環状部４１は、環状突部１４の環状溝１６と曲率が略一致している
そして、線状バネ４の一端部（図示例では１本の金属線を折り曲げ加工した突き合わせ端部）にロック解除ボタン３が一体に組み付けられている。
【００１７】
図４はコンバージョンレンズ２のケース２１と線状バネ４及びロック解除ボタン３を分解したもので、図５に示すように、線状バネ４は自由長に対しテンションを掛けた状態にしてケース２１内で挿入部２３に形成した切り欠き内に組み込まれる。
その後、ケース２１の挿入部２３の周囲に、図６に示すように、蓋５がネジ止めして取り付けられる。
【００１８】
以上の線状バネ４は、略環状部４１をカメラ１の環状突部１４の環状溝１６に嵌め込むことにより、コンバージョンレンズ２をカメラ１に固定する。
また、ロック解除ボタン３を押すと、線状バネ４の略環状部４１がロック解除ボタン３の押し方向と直交する方向に広がることにより、環状溝１６から略環状部４１が外れて、カメラ１からコンバージョンレンズ２を外すことができる。
【００１９】
図７（ａ）〜（ｃ）は線状バネ４の通常状態を拡大して示したもので、この線状バネ４に矢印で示す長手方向に圧縮方向の荷重を加えると、図８に示したように、略環状部４１が弾性変形して横方向に広がると同時に、平面方向の弾性変形が起きる。
【００２０】
図３（ａ）及び図９（ａ）〜（ｃ）はロック解除ボタン３を押さない通常状態を示したもので、ロック解除ボタン３を押すと、図３（ｂ）及び図１０に示すように、線状バネ４の略環状部４１が弾性変形して横方向に広がる。
【００２１】
次に、カメラ１に対するコンバージョンレンズ２の装着について説明する。
【００２２】
カメラ１に対しコンバージョンレンズ２を装着する際は、環状突部１４に対しケース２１の挿入部２３の内周がガイドとなって位置決めされ、コンバージョンレンズ２を押し込むことで、図１１（ａ）及び図１２（ａ）に示すように、コンバージョンレンズ２はカメラ１に対し垂直方向に真直ぐに組み込まれる。
【００２３】
すると、図１１（ｂ）及び図１２（ｂ）に示すように、環状突部１４先端の装着方向に沿って広がる環状斜面１５に当接することによって、線状バネ４の略環状部４１が弾性変形して外側へ広げられる。
【００２４】
そして、そのままコンバージョンレンズ２を押し込むと、図１１（ｃ）及び図１２（ｃ）に示すように、線状バネ４の略環状部４１が、環状斜面１５に続く小径の環状溝１６に弾性変形による戻る力で嵌まり込み、コンバージョンレンズ２がカメラ１に結合される。
【００２５】
こうして、コンバージョンレンズ２がカメラ１に結合された状態では、線状バネ４の略環状部４１は、環状突部１４先端の環状斜面１５によって、ケース２１内への組み込み時よりも外側へ押し広げられる状態となり、小径の環状溝１６において、略環状部４１の内側へ戻る力でテンションが掛かかっているため、コンバージョンレンズ２が外れ難い状態に保持される。
【００２６】
また、環状溝１６において、線状バネ４の略環状部４１は垂直方向の上側へも弾性変形してテンションが掛かるため、コンバージョンレンズ２の垂直方向のガタも押さえることができる。
以上によって、カメラ１に装着状態のコンバージョンレンズ２は回転不能で外れ難くなっている。
【００２７】
コンバージョンレンズ２を外す際には、ロック解除ボタン３を押すことにより、線状バネ４の略環状部４１が弾性変形して外側へ広がり、カメラ１の環状突部１４を通過して、そのままコンバージョンレンズ２を引き抜くことができる。
【００２８】
このように、コンバージョンレンズ２に線状バネ４とロック解除ボタン３を組み込んだことにより、カメラ１に対しコンバージョンレンズ２をワンタッチで着脱することができる。
【００２９】
すなわち、コンバージョンレンズ２をカメラ１に押し込むだけで装着することができる。
そして、ロック解除ボタン３を押しながらコンバージョンレンズ２を引っ張るだけで、カメラ１から簡単に外すことができる。
【００３０】
しかも、カメラ１にコンバージョンレンズ２が装着されている状態では、線状バネ４の略環状部４１が環状溝１６に嵌まり込んでいるため、ロック解除ボタン３を押さない限り、コンバージョンレンズ２が簡単に外れてしまうようなことがない。
【００３１】
また、カメラ１は、コンバージョンレンズ２を外した状態でも、デザインへの影響がないため、単体で使用する際にも製品価値を損なわない。
【００３２】
（変形例１）
以上の実施形態において、線状バネ４は、少なくとも環状溝１６に嵌まり込む略環状部４１を滑り止め加工してもよい。
【００３３】
このように、線状バネ４の少なくとも略環状部４１を滑り止め加工しておけば、その略環状部４１の嵌まり込んだ環状溝１６に対する滑り止め作用によって、カメラ１にコンバージョンレンズ２をより強く固定することができる。
【００３４】
（変形例２）
前述した実施形態において、ロック解除ボタン３は、線状バネ４の両端部に設けてもよい。
【００３５】
このように、ロック解除ボタン３を線状バネ４の両端部に設けておけば、より弱い操作力で２個のロック解除ボタン３を押して、カメラ１に対するコンバージョンレンズ２のロックを解除することができる。
【００３６】
（変形例３）
前述した実施形態において、ロック解除ボタン３を設けないで、線状バネ４の弾性を利用して環状突部１４から外れるようにしてもよい。
その場合、カメラ１の環状突部１４の装着方向に沿って広がる環状斜面１５と環状溝１６との間には、装着方向に沿って狭まる環状斜面を形成しておく。
【００３７】
このように、カメラ１の環状突部１４の装着方向に広がる環状斜面１５と環状溝１６との間に装着方向に狭まる環状斜面を形成しておけば、ロック解除ボタン３を設けなくても、コンバージョンレンズ２をカメラ１から外すことができる。
【００３８】
すなわち、カメラ１に装着状態のコンバージョンレンズ２を引っ張ると、環状溝１６から装着方向に狭まる斜面により線状バネ４の略環状部４１が弾性変形して押し広げられるので、略環状部４１が環状突部１４から外れて、コンバージョンレンズ２をカメラ１から外すことができる。
【００３９】
なお、ボタンなしでよいことから、線状バネ４は、１本の金属線を折り曲げ加工した突き合わせ端部を持たない一体成形品による連続形状としてもよい。
【００４０】
（他の変形例）
以上の実施形態においては、カメラとしたが、本発明はこれに限定されるものではなく、カメラを備える携帯電話など他の電子機器であってもよい。
さらに、実施形態では、コンバージョンレンズとしたが、フィルタ等、他のアタッチメントであってもよい。
【００４１】
また、実施形態では、アタッチメント側に線状バネ及びボタンを内蔵したが、装置本体側に線状バネ及びボタンを内蔵してもよい。そうすれば、アタッチメントを小さく安くすることができる。
さらに、線状バネやボタンの形状等も任意であり、その他、具体的な細部構造等についても適宜に変更可能であることは勿論である。
【００４２】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
装置本体に装着して使用するアタッチメントであって、
弾性を有する金属線により形成される線状バネと、
前記線状バネの端部に接続され、押すことで前記線状バネを弾性変形させるボタンと、を備え、
前記ボタンを押して前記線状バネが弾性変形している状態では、前記装置本体に備えられる環状の突部を前記線状バネの弾性変形部が通過可能とする一方、
前記ボタンを押さないで前記線状バネが弾性変形していない状態では、前記突部に形成された溝に前記線状バネが係合して、当該アタッチメントが前記装置本体に装着した状態に保持されることを特徴とするアタッチメント。
＜請求項２＞
前記線状バネは、前記金属線を前記溝に対応させて折り曲げ加工した略環状部を有し、
前記ボタンを押して前記略環状部が弾性変形により広がっている状態で、前記突部を前記略環状部が通過可能とし、
前記ボタンを押さないで前記略環状部が広がっていない状態で、前記溝に前記略環状部が係合することを特徴とする請求項１に記載のアタッチメント。
＜請求項３＞
当該アタッチメントを前記装置本体に装着する際に、前記突部に形成され、装着方向に広がる斜面により前記線状バネが押し広げられてから、前記溝に前記線状バネが係合することを特徴とする請求項１に記載のアタッチメント。
＜請求項４＞
前記溝に前記線状バネが係合している状態では、当該アタッチメントが回転不能な強さで前記線状バネが前記溝に圧着していることを特徴とする請求項１に記載のアタッチメント。
＜請求項５＞
前記溝に前記線状バネが係合している状態では、前記溝と前記線状バネの曲率が略一致していることを特徴とする請求項４に記載のアタッチメント。
＜請求項６＞
前記線状バネが前記溝に係合する際に接する部分は滑り止め加工されていることを特徴とする請求項１に記載のアタッチメント。
＜請求項７＞
前記ボタンは前記線状バネの両端部に設けられていることを特徴とする請求項１に記載のアタッチメント。
＜請求項８＞
装置本体に装着して使用するアタッチメントであって、
弾性を有する金属線により形成され、前記金属線を折り曲げ加工した略環状部を有する線状バネを備え、
当該アタッチメントを前記装置本体に装着する際に、前記装置本体に備えられる突部に形成され、装着方向に広がる斜面により前記線状バネの前記略環状部が押し広げられてから、続く装着方向に狭まる斜面を通って続く環状の溝に対応させて折り曲げ加工された前記略環状部が係合して、当該アタッチメントが前記装置本体に装着した状態に保持される一方、
当該アタッチメントを前記装置本体から引っ張ると、前記溝から前記装着方向に狭まる斜面により前記略環状部が押し広げられて、当該アタッチメントが前記装置本体から外れることを可能とすることを特徴とするアタッチメント。
＜請求項９＞
前記装置本体は撮像装置であり、
前記アタッチメントはコンバージョンレンズ或いはフィルタであることを特徴とする請求項１から８のいずれか一項に記載のアタッチメント。
＜請求項１０＞
請求項１から９のいずれか一項に記載のアタッチメントと、
前記線状バネが係合する溝を有する突部を備えた装置本体と、からなるアタッチメント装着システム。
＜請求項１１＞
前記装置本体は前記アタッチメントを装着しない状態であっても撮像可能なレンズを有する撮像手段を備え、
前記アタッチメントを装着することで前記レンズの光学特性を変化させることが可能な撮像装置の筐体であることを特徴とする請求項１０に記載のアタッチメント装着システム。
＜請求項１２＞
請求項１から７のいずれか一項に記載のアタッチメントを前記装置本体の前記突部に重ね、前記線状バネを前記溝に係合して、前記装置本体に前記アタッチメントを装着状態に保持することを特徴とするアタッチメント装着方法。
＜請求項１３＞
前記装置本体に対する前記アタッチメントの装着状態において、
前記ボタンを押して、前記装置本体に対し前記アタッチメントを引っ張ることにより、前記線状バネの弾性変形部を前記突部が通過して、前記装置本体から前記アタッチメントが外れることを特徴とする請求項１２に記載のアタッチメント装着方法。
＜請求項１４＞
請求項８に記載のアタッチメントを前記装置本体の前記突部に重ね、前記装着方向に広がる斜面により前記線状バネの前記略環状部が押し広げられてから、前記装着方向に狭まる斜面を通って前記略環状部が前記溝に係合して、前記装置本体に前記アタッチメントを装着状態に保持することを特徴とするアタッチメント装着方法。
【符号の説明】
【００４３】
１  カメラ
１３  装着溝
１４  環状突部
１５  環状斜面
１６  係合溝
２  コンバージョンレンズ
２３  挿入部
３  ロック解除ボタン
４  線状バネ
４１  略環状部
５  蓋
【図１】
0005821405.tif 000002
【図２】
0005821405.tif 000003
【図３】
0005821405.tif 000004
【図４】
0005821405.tif 000005
【図５】
0005821405.tif 000006
【図６】
0005821405.tif 000007
【図７】
0005821405.tif 000008
【図８】
0005821405.tif 000009
【図９】
0005821405.tif 000010
【図１０】
0005821405.tif 000011
【図１１】
0005821405.tif 000012
【図１２】
0005821405.tif 000013